【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】
絶縁体と、
前記絶縁体の一端面に形設された略錐状の窪みと、
前記窪み内部の表面に形成された放射電極と、
前記放射電極の一部を周状に剥離する剥離部と、
前記剥離部が少なくとも埋没する深さまで前記窪み内部に充填されてなる低導電率部材と、
前記絶縁体の他端面と近接略平行して配設された又は前記絶縁体の他端面に直接形成されたグランド導体と、
を具備することを特徴とするコニカル・アンテナ。
【請求項２】
前記放射電極は前記窪み内部の表面にメッキ工法などで形成されてなる、
ことを特徴とする請求項１に記載のコニカル・アンテナ。
【請求項３】
前記低導電率部材は導体を含有するゴム又はエラストマーからなる、
ことを特徴とする請求項１に記載のコニカル・アンテナ。
【請求項４】
前記放射電極と前記グランド導体との空隙間に対して電気信号の給電がなされる、
ことを特徴とする請求項１に記載のコニカル・アンテナ。
【請求項５】
グランド導体に穴を設け、放射電極の頂点部位を背面側に貫通させて、電気信号の給電を行なう、
ことを特徴とする請求項１に記載のコニカル・アンテナ。
【請求項６】
前記放射電極の一部を周状に剥離する剥離部を２以上設ける、
ことを特徴とする請求項１に記載のコニカル・アンテナ。
【請求項７】
前記窪み内部に充填される前記低導電率部材は、前記の各剥離部が埋没する深さ毎に前記窪み内部に導電率が異なる部材がそれぞれ充填されてなる多層構造である、
ことを特徴とする請求項６に記載のコニカル・アンテナ。
【請求項８】
前記窪みの底面側がより低導電率となるように各低導電率部材を分布させる、
ことを特徴とする請求項７に記載のコニカル・アンテナ。
【請求項９】
絶縁体と、
前記絶縁体の一端面に形設された略錐状の第１の窪みと、
前記第１の窪み内部の表面に形成された第１の放射電極と、
前記第１の放射電極の一部を周状に剥離する第１の剥離部と、
前記第１の剥離部が少なくとも埋没する深さまで前記窪み内部に充填されてなる第１の低導電率部材と、
前記絶縁体の他端面に形設された略錐状の第２の窪みと、
前記第２の窪み内部の表面に形成された第２の放射電極と、
前記第２の放射電極の一部を周状に剥離する第２の剥離部と、
前記第２の剥離部が少なくとも埋没する深さまで前記窪み内部に充填されてなる第２の低導電率部材と、
を具備することを特徴とするコニカル・アンテナ。
【請求項１０】
前記第１及び第２の放射電極の空隙間に対して電気信号の給電がなされる、
ことを特徴とする請求項９に記載のコニカル・アンテナ。
【請求項１１】
前記第１及び第２の放射電極の一部を周状に剥離する剥離部を２以上設ける、
ことを特徴とする請求項９に記載のコニカル・アンテナ。
【請求項１２】
前記第１及び第２の窪み内部に充填される前記第１及び第２の低導電率部材は、前記の各剥離部が埋没する深さ毎に前記第１及び第２の窪み内部に導電率が異なる部材がそれぞれ充填されてなる多層構造である、
ことを特徴とする請求項１１に記載のコニカル・アンテナ。
【請求項１３】
前記窪みの底面側がより低導電率となるように各低導電率部材を分布させる、
ことを特徴とする請求項１２に記載のコニカル・アンテナ。
【請求項１４】
略錐状に形成された絶縁体と、
前記略錐状の絶縁体の表面に形成された放射電極と、
前記放射電極の一部を基底の絶縁体とともに周状に分割する周状スリット部と、
前記周状スリット部に充填された低導電率部材と、
前記放射電極の略頂点部位に近接して配設されたグランド導体と、
を具備することを特徴とするコニカル・アンテナ。
【請求項１５】
前記放射電極を基底の絶縁体とともに周状に分割する周状スリット部を２以上設ける、
ことを特徴とする請求項１４に記載のコニカル・アンテナ。
【請求項１６】
前記の各周状スリット部毎に導電率が異なる低導電率部材をそれぞれ充填する、
ことを特徴とする請求項１５に記載のコニカル・アンテナ。
【請求項１７】
前記窪みの底面側がより低導電率となるように各周状スリット部に各低導電率部材を分布させる、
ことを特徴とする請求項１６に記載のコニカル・アンテナ。
【請求項１８】
略錐状に形成された第１の絶縁体と、
前記略錐状の絶縁体の表面に形成された第１の放射電極と、
前記第１の放射電極の一部を基底の絶縁体とともに周状に分割する第１の周状スリット部と、
前記第１の周状スリット部に充填された第１の低導電率部材と、
前記第１の絶縁体と頂点同士が対向しそれぞれの底面が対称的となるように配置された略錘状に形成された第２の絶縁体と、
前記略錐状の絶縁体の表面に形成された第２の放射電極と、
前記第２の放射電極の一部を基底の絶縁体とともに周状に分割する第２の周状スリット部と、
前記第２の周状スリット部に充填された第２の低導電率部材と、
を具備することを特徴とするコニカル・アンテナ。
【請求項１９】
前記第１及び第２の放射電極を基底の絶縁体とともに周状に分割する周状スリット部をそれぞれ２以上設ける、
ことを特徴とする請求項１８に記載のコニカル・アンテナ。
【請求項２０】
前記第１及び第２の放射電極を分割する各周状スリット部毎に導電率が異なる低導電率部材をそれぞれ充填する、
ことを特徴とする請求項１９に記載のコニカル・アンテナ。
【請求項２１】
前記絶縁体の底面側がより低導電率となるように各周状スリット部に各低導電率部材を分布させる、
ことを特徴とする請求項２０に記載のコニカル・アンテナ。
【請求項２２】
絶縁体の一端面に略錐状の窪みを形成するステップと、
前記窪み内部の表面に放射電極を形成するステップと、
前記放射電極の一部を周状に分離して剥離部を形成するステップと、
前記剥離部が埋没する深さまで前記窪み内部に低導電率部材を充填するステップと、
を具備することを特徴とするコニカル・アンテナの製造方法
【請求項２３】
前記絶縁体の他端面と近接平行して又は前記絶縁体の他端面上に直接グランド導体を配設するステップをさらに備える、
ことを特徴とする請求項２２に記載のコニカル・アンテナの製造方法。
【請求項２４】
略錐状に形成された絶縁体の表面に放射電極を形成するステップと、
前記放射電極の一部を基底の前記絶縁体とともに周状に剥離・掘削して剥離・掘削部を形成するステップと、
前記剥離・掘削部に低導電率部材を充填するステップと、
を具備することを特徴とするコニカル・アンテナの製造方法。
【請求項２５】
前記放射電極の頂点部位に近接してグランド導体を配設するステップをさらに備える、
ことを特徴とする請求項２４に記載のコニカル・アンテナの製造方法。
【請求項２６】
絶縁体と、
前記絶縁体の一端面に形設された略錐状の窪みと、
前記窪み内部の略頂点部位の表面に形成された給電電極と、
前記窪み内部に充填されてなる低導電率部材と、
前記絶縁体の他端面と近接略平行して配設された又は前記絶縁体の他端面に直接形成されたグランド導体と、
を具備することを特徴とするコニカル・アンテナ。
【請求項２７】
前記給電電極と前記グランド導体との空隙間に対して電気信号の給電がなされる、
ことを特徴とする請求項２６に記載のコニカル・アンテナ。
【請求項２８】
グランド導体に穴を設け、前記給電電極を背面側に貫通させて、電気信号の給電を行なう、
ことを特徴とする請求項２６に記載のコニカル・アンテナ。
【請求項２９】
前記窪み内部に充填される前記低導電率部材は、導電率が異なる部材がそれぞれ充填されてなる多層構造である、
ことを特徴とする請求項２６に記載のコニカル・アンテナ。
【請求項３０】
前記窪みの底面側がより低導電率となるように各低導電率部材を分布させる、
ことを特徴とする請求項２９に記載のコニカル・アンテナ。
【請求項３１】
絶縁体と、
前記絶縁体の一端面に形設された略錐状の第１の窪みと、
前記第１の窪み内部の略頂点部位の表面に形成された第１の給電電極と、
前記第１の窪み内部に充填されてなる第１の低導電率部材と、
前記絶縁体の他端面に形設された略錐状の第２の窪みと、
前記第２の窪み内部の略頂点部位の表面に形成された第２の給電電極と、
前記第２の窪み内部に充填されてなる第２の低導電率部材と、
を具備することを特徴とするコニカル・アンテナ。
【請求項３２】
前記第１及び第２の給電電極の空隙間に対して電気信号の給電がなされる、
ことを特徴とする請求項３１に記載のコニカル・アンテナ。
【請求項３３】
前記第１及び第２の窪み内部に充填される前記第１及び第２の低導電率部材は、導電率が異なる部材がそれぞれ充填されてなる多層構造である、
ことを特徴とする請求項３１に記載のコニカル・アンテナ。
【請求項３４】
前記窪みの底面側がより低導電率となるように各低導電率部材を分布させる、
ことを特徴とする請求項３３に記載のコニカル・アンテナ。
【請求項３５】
絶縁体の一端面に略錐状の窪みを形成するステップと、
前記窪み内部の略頂点部位の表面に給電電極を形成するステップと、
前記窪み内部に低導電率部材を充填するステップと、
を具備することを特徴とするコニカル・アンテナの製造方法。
【手続補正２】
【補正対象書類名】明細書
【補正対象項目名】００７５
【補正方法】変更
【補正の内容】
【００７５】
また、図１２に示したような本発明の実施形態の適用範囲は、モノコニカル・アンテナを用いて構成したバイコニカル・アンテナの抵抗装荷方法としても有効である。図１４には、絶縁体の円錐状の窪み表面に形成された給電電極に低導電率部材を充填してなるコニカル・アンテナを用いてバイコニカル・アンテナの断面構成を示している。
【手続補正３】
【補正対象書類名】明細書
【補正対象項目名】００７６
【補正方法】変更
【補正の内容】
【００７６】
図１４に示すバイコニカル・アンテナは、絶縁体の両端面にグランド導体を形成することを省いて、両端面に対象となるように円錐状の第１の窪みと第２の窪みをそれぞれ設け、第１の窪み内部の略頂点部位の表面に形成された第１の給電電極と、第１の窪み内部に充填されてなる第１の低導電率部材と、第２の窪み内部の略頂点部位の表面に形成された第２の給電電極と、第２の窪み内部に充填されてなる第２の低導電率部材とで構成される。